(57)【要約】【課題】電源供給手段が増加し、更に電源供給手段と制御手段との間で送受信される情報量が増加しても、制御手段と電源供給手段を接続する信号線の増加を低減させることができる電源供給システム装置を得る。【解決手段】第１の電源供給装置２と第２の電源供給装置３とを、第１の通信部１３及び第２の通信部２２を介して通信回線４で接続し、第１の電源供給装置２内の制御部１２で、第１の電源供給部１１の動作制御を行うと共に、第２の電源供給装置３内における第２の電源供給部２１の動作制御を行うようにした。【選択図】  図１
2004320530.tif 000002
【特許請求の範囲】
【請求項１】
複数の電源供給装置から複数の負荷にそれぞれ電源を供給する電源供給システム装置において、
少なくとも１つの負荷に電源を供給する第１電源供給部、該第１電源供給部の動作制御を行う制御部、及び該制御部と信号の送受信を行う第１通信部を有する第１電源供給装置と、
少なくとも１つの負荷に電源を供給する第２電源供給部、及び該第２電源供給部と信号の送受信を行う第２通信部を有する少なくとも１つの第２電源供給装置と、
を備え、
前記第１通信部及び第２通信部は、通信を行って互いに信号の送受信を行い、前記制御部は、該第１通信部及び第２通信部を介して、前記第２電源供給部の動作制御を行うことを特徴とする電源供給システム装置。
【請求項２】
複数の電源供給装置から複数の負荷にそれぞれ電源を供給する電源供給システム装置において、
少なくとも１つの負荷に電源を供給する第１電源供給部、及び外部と信号の送受信を行う第１通信部を有する第１電源供給装置と、
少なくとも１つの負荷に電源を供給する第２電源供給部、及び該第２電源供給部と信号の送受信を行う第２通信部を有する少なくとも１つの第２電源供給装置と、
前記第１電源供給装置の第１電源供給部及び該第２電源供給装置の第２電源供給部の動作制御をそれぞれ行う制御装置と、
を備え、
前記第１通信部及び第２通信部は、通信を行って互いに信号の送受信を行い、前記制御装置は、前記第１電源供給部の動作制御を行うと共に、該第１通信部及び第２通信部を介して、前記第２電源供給部の動作制御を行うことを特徴とする電源供給システム装置。
【請求項３】
前記第１電源供給装置は、前記制御装置とのインタフェースを行う第１のインタフェース部を、前記制御装置は、第１電源供給装置とのインタフェースを行う第２のインタフェース部をそれぞれ備え、該制御装置は、該第１及び第２の各インタフェース部を介して前記第１電源供給部の動作制御を行うことを特徴とする請求項２記載の電源供給システム装置。
【請求項４】
前記制御装置は、該第１及び第２の各インタフェース部を介して前記第１通信部に接続され、該第１通信部及び前記第２通信部を介して、前記第２電源供給部の動作制御を行うことを特徴とする請求項３記載の電源供給システム装置。
【請求項５】
前記制御装置は、前記第１電源供給部及び第２電源供給部の動作制御を行うと共に、所定の機能を有する機能装置の動作制御を行うことを特徴とする請求項２、３又は４記載の電源供給システム装置。
【発明の詳細な説明】
【０００１】
【発明の属する技術分野】
本発明は、複数の電源供給装置に対する作動若しくは停止、出力電圧、出力電流又は動作モード等の各制御を、通信手段を経由して行うようにした電源供給システム装置に関するものである。
【０００２】
【従来の技術】
図４は、従来一般に使用されている電源供給装置の例を示した図である。
図４の電源供給装置１００において、電源供給部１０１には複数の負荷１０２〜１０４が接続され、各負荷１０２〜１０４は、それぞれ電源供給部１０１から電源の供給を受けている。制御部１０５は、電源供給部１０１に対して、作動若しくは停止、出力電圧の設定、出力電流の設定、又は製品の使用状況に応じて動作モードを通常モードから低消費電力モードへ切り替える等、さまざまな動作制御及び条件設定を行っている。また、電源供給部１０１は、負荷１０２〜１０４ごとに現在の消費電流値や出力電圧を監視し該各情報を制御部１０５に伝え、その結果によって制御部１０５から新たな指令が送られるというように、相互に多くの情報の授受が行われる。
【０００３】
図５は、制御部が複数の電源供給部の制御を行う構成の電源供給装置の従来例を示した図である。
図５の電源供給装置１１０において、第１の電源供給部１１２には負荷１ａ〜１ｃが接続され、第２の電源供給部１１３には負荷２ａ〜２ｃが、第３の電源供給部１１４には負荷３ａ〜３ｃがそれぞれ接続されている。制御部１１１は、第１〜第３の各電源供給部１１２〜１１４とそれぞれ接続されており、第１〜第３の各電源供給部１１２〜１１４を直接制御している。
【０００４】
近年、電気製品の機能が飛躍的に向上し、それに伴って製品内部では、さまざまな機能を備えた回路や部品が使用されている。例えば、携帯電話では、デジタルカメラ、スピーカ、マイク、液晶表示装置、スイッチ、送信回路、受信回路、オーディオ回路、モータ、演算装置、記憶装置といった多くの回路や部品が使用されている。更に、携帯電話に内蔵されるデジタルカメラ自体も多くの機能部品で構成されている。
【０００５】
このように多くの回路や部品に電力を供給するには、例えば各回路や部品ごとに最も適した電圧や電流特性が必要となり、１つの電源回路で行うことが困難であった。特に省電力化が要求されるようになってからは、製品内のすべての回路に電力を供給することはなく、製品の使用条件によって、使用されていない回路や部品への電力の供給は控えるようにすると共に、これらの回路や部品に電力を供給している電源回路自体の消費電力も最小となるように制御することが一般的になっている。
【０００６】
また、電源供給部には、過電流防止回路や短絡保護回路が設けられており、これらの保護回路が作動した場合の処置を制御部に伝えて、製品としての動作を決定するようになっている。このため、従来は、制御部と各電源供給部との間でやり取りする情報は、電源供給部の作動又は停止を制御する程度であったものが、近年非常に増加しており、これに伴って信号線の本数も増加している。しかも電源供給部が増加すると、信号線の本数も電源供給部が増加した分だけ増えることになるため、製品の大型化や、コストの増大につながっていた。そこで、制御部と複数の電源供給部との信号線の本数を減らすために、図６で示すように制御装置と複数の電源供給装置をシリアルバスで接続する方式があった（例えば、特許文献１参照。）。
【０００７】
このような方式の電源供給システム装置１２０では、複数の電源供給装置ＰＳ１〜ＰＳ４と、該各電源供給装置ＰＳ１〜ＰＳ４に対する電源の投入、遮断、及び監視を制御する複数のリモートコントローラＲＣＤ１〜ＲＣＤ４とを備えている。更に、電源供給システム装置は、各リモートコントローラＲＣＤ１〜ＲＣＤ４に対して、電源供給装置ＰＳ１〜ＰＳ４の選択、投入、遮断、監視の各指示データを構成するシリアルデータを出力する電源コントローラＭＣＤと、該電源コントローラＭＣＤと各リモートコントローラＲＣＤ１〜ＲＣＤ４との間に接続されたシリアルバスＳＢＵＳとを備えている。シリアルバスＳＢＵＳは、電源コントローラＭＣＤからリモートコントローラＲＣＤ１〜ＲＣＤ４に対する各指示データ、及び該リモートコントローラＲＣＤ１〜ＲＣＤ４から電源コントローラＭＣＤに対する電源監視データの各伝送をそれぞれ行う。
【０００８】
【特許文献１】
特開平４−３２２１４０号公報
【０００９】
【発明が解決しようとする課題】
しかし、このような方式では、電源コントローラとリモートコントローラをすべて分離したため、最小構成のシステムでも、シリアルバスを使う必要があり、小型化を図る上で問題であった。
【００１０】
本発明は、上記のような問題を解決するためになされたものであり、電源供給手段が増加し、更に電源供給手段と制御手段との間で送受信される情報量が増加しても、制御手段と電源供給手段を接続する信号線の増加を低減させることができる電源供給システム装置を得ることを目的とする。
【００１１】
【課題を解決するための手段】
この発明に係る電源供給システム装置は、複数の電源供給装置から複数の負荷にそれぞれ電源を供給する電源供給システム装置において、
少なくとも１つの負荷に電源を供給する第１電源供給部、該第１電源供給部の動作制御を行う制御部、及び該制御部と信号の送受信を行う第１通信部を有する第１電源供給装置と、
少なくとも１つの負荷に電源を供給する第２電源供給部、及び該第２電源供給部と信号の送受信を行う第２通信部を有する少なくとも１つの第２電源供給装置と、
を備え、
前記第１通信部及び第２通信部は、通信を行って互いに信号の送受信を行い、前記制御部は、該第１通信部及び第２通信部を介して、前記第２電源供給部の動作制御を行うものである。
【００１２】
また、この発明に係る電源供給システム装置は、複数の電源供給装置から複数の負荷にそれぞれ電源を供給する電源供給システム装置において、
少なくとも１つの負荷に電源を供給する第１電源供給部、及び外部と信号の送受信を行う第１通信部を有する第１電源供給装置と、
少なくとも１つの負荷に電源を供給する第２電源供給部、及び該第２電源供給部と信号の送受信を行う第２通信部を有する少なくとも１つの第２電源供給装置と、
前記第１電源供給装置の第１電源供給部及び該第２電源供給装置の第２電源供給部の動作制御をそれぞれ行う制御装置と、
を備え、
前記第１通信部及び第２通信部は、通信を行って互いに信号の送受信を行い、前記制御装置は、前記第１電源供給部の動作制御を行うと共に、該第１通信部及び第２通信部を介して、前記第２電源供給部の動作制御を行うものである。
【００１３】
また、前記第１電源供給装置は、前記制御装置とのインタフェースを行う第１のインタフェース部を、前記制御装置は、第１電源供給装置とのインタフェースを行う第２のインタフェース部をそれぞれ備え、該制御装置は、該第１及び第２の各インタフェース部を介して前記第１電源供給部の動作制御を行うようにしてもよい。
【００１４】
具体的には、前記制御装置は、該第１及び第２の各インタフェース部を介して前記第１通信部に接続され、該第１通信部及び前記第２通信部を介して、前記第２電源供給部の動作制御を行うようにした。
【００１５】
一方、前記制御装置は、前記第１電源供給部及び第２電源供給部の動作制御を行うと共に、所定の機能を有する機能装置の動作制御を行うようにしてもよい。
【００１６】
【発明の実施の形態】
次に、図面に示す実施の形態に基づいて、本発明を詳細に説明する。
第１の実施の形態．
図１は、本発明の第１の実施の形態における電源供給システム装置の例を示したブロック図である。
図１において、電源供給システム装置１は、負荷Ａ１〜Ａｍ（ｍは、ｍ＞０の整数）に電源供給を行う第１の電源供給装置２と、負荷Ｂ１〜Ｂｎ（ｎは、ｎ＞０の整数）に電源供給を行う第２の電源供給装置３で構成され、第１の各電源供給装置２と第２の電源供給装置３は通信回線４で接続されている。
【００１７】
第１の電源供給装置２は、負荷Ａ１〜Ａｍに電源供給を行う第１の電源供給部１１と、第１の電源供給部１１の動作制御を行う制御部１２と、第２の電源供給装置３と通信を行う第１の通信部１３とを備えている。また、第２の電源供給装置３は、負荷Ｂ１〜Ｂｎに電源供給を行う第２の電源供給部２１と、第１の電源供給装置２と通信を行う第２の通信部２２とを備えている。第１及び第２の各通信部１３，２２は、通信回線４を用いて通信し互いに信号の送受信を行い、制御部１２は、第１の電源供給部１１の動作制御を行うと共に第１の通信部１３及び第２の通信部２２を介して第２の電源供給部２１の動作制御を行う。
【００１８】
例えば、制御部１２は、第１の電源供給部１１及び第２の電源供給部２１に対して、電源供給の開始又は停止、供給する電源の電圧設定、供給する電源の電流設定、使用状況に応じて通常動作モードから低消費電力動作モードへの切り替え等、さまざまな条件設定や動作制御を行う。また、制御部１２は、第１の電源供給部１１及び第２の電源供給部２１から送られてくる負荷Ａ１〜Ａｍ，Ｂ１〜Ｂｎごとの情報、例えば現在の消費電流値や出力電圧値等の情報を受け取り、該情報に応じて第１の電源供給部１１及び第２の電源供給部２１へ新たな指令を送る。このように、制御部１２と、第１の電源供給部１１及び第２の電源供給部２１とは相互に情報の授受を行っている。
【００１９】
制御部１２と第１の電源供給部１１との信号の授受は直接行われているが、制御部１２と第２の電源供給部２１との信号の授受は第１の通信部１３及び第２の通信部２２を介して行われる。第１の通信部１３と第２の通信部２２は、通信回線４で接続されており、第１の通信部１３と第２の通信部２２との間の通信手段は、どのような種類のものでもよく、公知の技術が使用可能であり、有線でも無線でもよい。なお、第１の電源供給装置２は第１電源供給装置を、第２の電源供給装置３は第２電源供給装置をそれぞれなし、第１の電源供給部１１は第１電源供給部を、第１の通信部１３は第１通信部をそれぞれなす。また、第２の電源供給部２１は第２電源供給部を、第２の通信部２２は第２通信部をそれぞれなす。
【００２０】
このような構成にすることにより、電源供給を行う負荷の数が少ない場合等のように小規模な電源供給システム装置を形成する場合は、第１の電源供給装置２だけで構成することにより装置の小型化を図ることができる。また、電源供給を行う負荷の数等の製品規模に応じて、第２の電源供給装置３を追加することにより、複雑な電源供給を行う場合等にも対応することができる。
【００２１】
また、第２の電源供給部２１を制御するには、第１の通信部１３と第２の通信部２２との間に信号線だけを接続すればよく、電源供給システム装置１を使用する製品内での配線を容易に行うことができる。更に、第１の通信部１３と第２の通信部２２との間の通信に、シリアル通信を使用することにより、信号線の数を減らすことができ、電源供給システム装置１を使用する製品の小型化及びコストの低減をそれぞれ図ることができる。また、第１の通信部１３と第２の通信部２２との間の通信を無線で行うことにより信号線そのものが不要になり、より一層の小型化を図ることができる。
【００２２】
次に、図１では、第１の電源供給装置２に接続される電源供給装置が第２の電源供給装置３のみである場合を例にして示したが、第１の電源供給装置２に複数の電源供給装置を接続するようにしてもよく、このようにした場合、図１は図２のようになる。なお、図２では、第１の電源供給装置２に２つの電源供給装置を接続した場合を例にして示しており、図１と同じものは又は同様のものは同じ符号で示しており、ここではその説明を省略すると共に図１との相違点のみ説明する。
【００２３】
図２における図１との相違点は、第３の電源供給装置５を追加したことにある。
図２において、電源供給システム装置１は、第１の電源供給装置２と、第２の電源供給装置３と、負荷Ｃ１〜Ｃｐ（ｐは、ｐ＞０の整数）に電源供給を行う第３の電源供給装置５で構成され、第１の電源供給装置２と第２の電源供給装置３及び第３の電源供給装置５とは通信回線４でそれぞれ接続されている。第３の電源供給装置５は、負荷Ｃ１〜Ｃｐに電源供給を行う第３の電源供給部３１と、第１の電源供給装置２と通信を行う第３の通信部３２とを備えている。第１〜第３の各通信部１３，２２，３２は通信回線４を用いて通信し互いに信号の送受信を行い、制御部１２は、第１の電源供給部１１及び第２の電源供給部２１の動作制御をそれぞれ行うと共に第１の通信部１３及び第３の通信部３２を介して第３の電源供給部３１の動作制御を行う。
【００２４】
例えば、制御部１２は、第１〜第３の各電源供給部１１，２１，３１に対して、電源供給の開始又は停止、供給する電源の電圧設定、供給する電源の電流設定、使用状況に応じて通常動作モードから低消費電力動作モードへの切り替え等、さまざまな条件設定や動作制御を行う。また、制御部１２は、第１の電源供給部１１、第２の電源供給部２１及び第３の電源供給部３１から送られてくる負荷Ａ１〜Ａｍ，Ｂ１〜Ｂｎ，Ｃ１〜Ｃｐごとの情報、例えば現在の消費電流値や出力電圧値等の情報を受け取り、該情報に応じて第１〜第３の各電源供給部１１，２１，３１へ新たな指令を送る。このように、制御部１２と、第１〜第３の各電源供給部１１，２１，３１とは相互に情報の授受を行っている。
【００２５】
制御部１２と第３の電源供給部３１との信号の授受は第１の通信部１３及び第３の通信部３２を介して行われる。第１〜第３の各通信部１３，２２，３２は、通信回線４で接続されており、第１〜第３の各通信部１３，２２，３２との間の通信手段は、どのような種類のものでもよく、公知の技術が使用可能であり、有線でも無線でもよい。なお、第３の電源供給装置５は第２電源供給装置をなし、第３の電源供給部３１は第２電源供給部を、第３の通信部３２は第２通信部をそれぞれなす。
このような構成にすることにより、電源供給を行う負荷の数等の製品規模に応じて、第１の電源供給装置２だけを作動するようにする以外に、第１〜第３の各電源供給装置２，３，５を組み合わせて使用することにより、より複雑な電源供給を行う場合等にも対応することができる。
【００２６】
また、第３の電源供給部３１を制御するには、第１の通信部１３と第３の通信部３２との間に信号線だけを接続すればよく、電源供給システム装置１を使用する製品内での配線を容易に行うことができる。更に、第１の通信部１３と第２の通信部２２及び第３の通信部３２との間の通信に、シリアル通信を使用することにより、信号線の数を減らすことができ、電源供給システム装置１を使用する製品の小型化及びコストの低減をそれぞれ図ることができる。また、第１の通信部１３と第２の通信部２２及び第３の通信部３２との間の通信を無線で行うことにより、信号線そのものが不要となってより一層の小型化を図ることができる。
【００２７】
このようにして、第１の電源供給装置２に備えられている１つの制御部１２からの指令が、通信回線４を介して、他の各電源供給装置３及び５に送られ、各電源供給装置３及び５のさまざまな条件を設定することができ、逆に、各電源供給装置３及び５からの情報が通信回線４に送られ、該情報を制御部１２が受け取り、次ぎの指令が作成される。このような構成によって、どのような規模の製品に対しても簡単な構成で電源供給システム装置を構築することができる。また、通信手段を電源供給システム装置の外部にまで使用することにより、電源供給システム装置の外部に設けられたオプション装置や、同一装置の並列運転等の電源供給装置を制御することが可能である。
【００２８】
このように、本第１の実施の形態における電源供給システム装置は、第１の電源供給装置２と他の少なくとも１つの電源供給装置とを通信回線で接続し、第１の電源供給装置２内の制御部１２で、少なくとも１つの電源供給装置内における電源供給部の動作制御を行うようにした。このことから、電源供給装置が増加し、更に電源供給装置と制御部との間で送受信される情報量が増加しても、制御部と電源供給装置を接続する信号線の増加を低減させることができる。
【００２９】
第２の実施の形態．
前記第１の実施の形態では、制御部１２は、電源供給部の制御を行うものであったが、電源供給システム装置を使用する製品によっては、該製品に含まれるさまざまな機能を制御するための制御手段を持ち、該制御手段で電源供給部を制御することもある。このような場合は電源供給部を専用に制御する制御回路を備えることはかえって無駄である。このことから、制御部１２を第１の電源供給装置２から独立させて制御装置とするようにしてもよく、このようにしたものを本発明の第２の実施の形態とする。
【００３０】
図３は、本発明の第２の実施の形態における電源供給システム装置の例を示したブロック図である。なお、図３では、前記図２の場合の構成を例にして示しており、図２と同じもの又は同様のものは同じ符号で示し、ここではその説明を省略すると共に図２との相違点のみ説明する。
図３における図２との相違点は、図２の第１の電源供給装置２における制御部１２を独立させて制御装置４１にし、第１の電源供給装置２と制御装置４１を接続するためのインタフェース部を第１の電源供給装置２及び制御装置４１にそれぞれ設けたことにあり、これに伴って図２の第１の電源供給装置２を第１の電源供給装置２ａにすると共に図２の電源供給システム装置１を電源供給システム装置１ａにした。
【００３１】
図３において、電源供給システム装置１ａは、第１の電源供給装置２ａと、第２の電源供給装置３と、第３の電源供給装置４と、第１〜第３の各電源供給部１１，２１，３１及び所定の機能を有する機能装置４５の動作制御を行う制御装置４１とで構成されている。第１の電源供給装置２ａは、第１の電源供給部１１と、制御装置４１とのインタフェースを行う第１のインタフェース部１５と、第１の通信部１３とを備えている。また、制御装置４１は、第１〜第３の各電源供給部１１，２１，３１及び機能装置４５の動作制御をそれぞれ行う制御部４２と、第１の電源供給装置２ａとのインタフェースを行う第２のインタフェース部４３とを備えている。
【００３２】
第１及び第２の各インタフェース部１５，４３は接続されると共に第１のインタフェース部１５及び第１の通信部１３は接続されており、制御部４２と機能装置４５との信号の授受は直接行われているが、制御部４２は、第２のインタフェース部４３及び第１のインタフェース部１５を介して第１の電源供給部１１と信号の授受を行う。また、制御部４２は、第２のインタフェース部４３、第１のインタフェース部１５、第１の通信部１３、通信回線４及び第２の通信部２２を介して第２の電源供給部２１と信号の授受を行い、第２のインタフェース部４３、第１のインタフェース部１５、第１の通信部１３、通信回線４及び第３の通信部３２を介して第３の電源供給部３１と信号の授受を行う。
【００３３】
制御部４２は、第１〜第３の各電源供給部１１，２１，３１に対して、電源供給の開始又は停止、供給する電源の電圧設定、供給する電源の電流設定、使用状況に応じて通常動作モードから低消費電力動作モードへの切り替え等、さまざまな条件設定や動作制御を行う。また、制御部４２は、第１の電源供給部１１、第２の電源供給部２１及び第３の電源供給部３１から送られてくる負荷Ａ１〜Ａｍ，Ｂ１〜Ｂｎ，Ｃ１〜Ｃｐごとの情報、例えば現在の消費電流値や出力電圧値等の情報を受け取り、該情報に応じて第１〜第３の各電源供給部１１，２１，３１へ新たな指令を送る。このように、制御部４２と、第１〜第３の各電源供給部１１，２１，３１とは相互に情報の授受を行っている。
【００３４】
このように、本第２の実施の形態における電源供給システム装置は、独立して設けた制御装置４１によって、各電源供給装置のそれぞれの電源供給部に対して信号の授受を行って動作制御を行うと共に、機能装置４５に対して信号の授受を行って動作制御を行うようにした。このことから、各電源供給装置のそれぞれの電源供給部を制御する制御手段を、製品全体を制御する制御手段、又は電源とは別の機能を制御する制御手段で兼用することにより、より一層小型化及びコストの低減を図ることができる。
【００３５】
なお、前記第２の実施の形態では、第１及び第２の各インタフェース部１５，４３を備えるようにしたが、制御部４２と第１の電源供給部１１及び第１の通信部１３との入出力電圧レベルや電流駆動能力等の条件があえば、第１及び第２の各インタフェース部１５，４３は必要なく、制御部４２は、第１の電源供給部１１及び第１の通信部１３と直接接続されるようにしてもよい。
【００３６】
【発明の効果】
上記の説明から明らかなように、本発明の電源供給システム装置によれば、制御部から直接制御する第１電源供給部と、制御部から該第１通信部及び第２通信部を介して制御する少なくとも１つの第２電源供給部を併用するようにしたことから、小規模な電源供給システムから大規模な電源供給システムまで最適な電源供給システムを構築することができ、更に、前記第１通信部及び第２通信部は、通信を行って互いに信号の送受信を行うことから、大規模な電源供給システムにおいても信号線の本数が増えることがなく、小型化及びコストの低減を図ることができる。
【００３７】
また、前記第１電源供給装置における第１電源供給部の動作制御を行うと共に、該第１通信部及び第２通信部を介して、前記第２電源供給装置における第２電源供給部の動作制御を行う制御装置を設けるようにしたことから、製品にすでに使用されている制御手段の一部を用いることができ、更なる小型化とコストダウンを図ることができる。
【図面の簡単な説明】
【図１】本発明の第１の実施の形態における電源供給システム装置の例を示したブロック図である。
【図２】本発明の第１の実施の形態における電源供給システム装置の他の例を示したブロック図である。
【図３】本発明の第２の実施の形態における電源供給システム装置の例を示したブロック図である。
【図４】従来の電源供給装置の例を示したブロック図である。
【図５】従来の電源供給装置の他の例を示したブロック図である。
【図６】従来の電源供給システム装置の例を示したブロック図である。
【符号の説明】
１，１ａ  電源供給システム装置
２，２ａ  第１の電源供給装置
３  第２の電源供給装置
４  通信回線
５  第３の電源供給装置
１１  第１の電源供給部
１２，４２  制御部
１３  第１の通信部
１５  第１のインタフェース部
２１  第２の電源供給部
２２  第２の通信部
３１  第３の電源供給部
３２  第３の通信部
４１  制御装置
４３  第２のインタフェース部
４５  機能装置
Ａ１〜Ａｍ，Ｂ１〜Ｂｎ，Ｃ１〜Ｃｐ  負荷
【図１】
2004320530.tif 000003
【図２】
2004320530.tif 000004
【図３】
2004320530.tif 000005
【図４】
2004320530.tif 000006
【図５】
2004320530.tif 000007
【図６】
2004320530.tif 000008